Podtech/llm-jp-corpus-v4-ja_patent huggingface dataset:
(57)【要約】      （修正有）【要約１】【課題】油圧式切断方式での切断された金属片が下部の集積場に落下する際に発生する騒音を低減できる油圧式切断機を提供する。【解決手段】集積槽に金属製スロープを設置することにより、油圧式切断機により切断された金属片等が集積槽に直接落下するときの騒音を、低減させる。またさらに、油圧シリンダにより駆動する移動刃体４にスライド式防音カバー５を装着させ、移動刃体４によって鉄材を切断する直前、即ち、移動刃体が６の位置に来る前にスライド式防音カバー５が切断時の騒音を漏らさないように７の位置に下る構造とし、鉄材切断時に発生する騒音を低減することもできる。【選択図】図３
0003147799.tif 000002
【実用新案登録請求の範囲】
【請求項１】
油圧式切断機により切断された金属片等が、集積槽に落下するときに、大きな騒音を出さずに落下する装置。
【請求項２】
油圧式（切断機）の切刃の部分に防音カバーを取り付けることにより、金属等の切断時に発生する騒音を低減させることを特徴とする、油圧式切断機。
【考案の詳細な説明】
【技術分野】
【０００１】
本考案は、油圧式切断機の低騒音化に関するものである。
【背景技術】
【０００２】
現在の油圧式切断機は、切断機自体から発生する騒音を低減させる技術はなかった。
【考案の開示】
【考案が解決しようとする課題】
【０００３】
油圧式切断機で切断された金属片等が集積槽に落下するときに発生する騒音が大きい。
【０００４】
油圧式切断機の切刃で金属等を切断する時に発生する騒音が大きい。
【課題を解決するための手段】
【０００５】
切断前の材料を置くテーブルのレベルと切断直後の材料が乗るテーブルのレベル差を少なくして、材料の落下音を低減させる。又、切断後の材料が集積槽の下部へ集合するように傾斜路（スロープ）を取り付け、直接落下を防止し、材料の落下音を低減させる。
【０００６】
本考案は、切刃部分に防音カバーを装着させることにより、切断時の騒音が上方に伝播することを防ぎ、騒音を低減させることができる。
【図面の簡単な説明】
【０００７】
【図１】低騒音型油圧式切断機の平面図である。
【図２】低騒音型油圧式切断機の断面図である。
【図３】低騒音型油圧式切断機の切断部（１）断面詳細図である。
【符号の説明】
【０００８】
（１）材料切断部
（２）材料移動図
（３）材料集積場
（４）移動刃体
（５）切断時防音カバー
（６）切断時移動刃体位置
（７）切断時防音カバー位置
【図１】
0003147799.tif 000003
【図２】
0003147799.tif 000004
【図３】
0003147799.tif 000005
【手続補正書】
【提出日】平成20年11月7日(2008.11.7)
【手続補正１】
【補正対象書類名】実用新案登録請求の範囲
【補正対象項目名】全文
【補正方法】変更
【補正の内容】
【実用新案登録請求の範囲】
【請求項１】
集積槽に金属製スロープを設置することにより、油圧式切断機により切断された金属片等が集積槽に直接落下するときの騒音を、低減させることを特徴とする油圧式切断機。
(57)【要約】      （修正有）【課題】現行の公認野球規則を改正しなくても、打者がロージンバッグをボールと見誤るおそれを解消するロージンバッグを提供する。【解決手段】袋内にロージンを入れたロージンバッグにおいて、袋が茶色、黒色および緑色から選択される色で着色されていることを特徴とする。ロージンバッグの袋の表面は、野球グラウンドの土の色に近い茶色もしくは黒色または芝生の色に近い緑色に着色する。ロージンバッグの袋の裏面は、表面と同じ色で着色してもよい。また、茶色、黒色および緑色から２色を選択し、表面をそのうちの一方の色、裏面を他方の色で着色してもよい。なお、グラウンドになじむという特性が得られれば、茶色、黒色、緑色に限らず、これらと均等な色を用いることもできる。【選択図】図１
0003147782.tif 000002
【実用新案登録請求の範囲】
【請求項１】
袋内にロージンを入れたロージンバッグにおいて、前記袋が茶色、黒色および緑色から選択される色で着色されていることを特徴とするロージンバッグ。
【考案の詳細な説明】
【技術分野】
【０００１】
本考案は、野球その他の球技で投手などのプレーヤーが使用するロージンバッグの改良に関する。
【背景技術】
【０００２】
野球その他の球技において、投手はボールの滑り止めのためにロージンバッグを使用する。ロージンバッグは、布袋の中に滑り止め剤であるロージン（rosin）の粉末を詰めたものである。ロージンは炭酸マグネシウムや松脂などの成分からなっている。投手はロージンバッグを握ったり叩いたりして、布地の隙間から出てくる粉末を指先につけてボールの滑りを止める。
【０００３】
公認野球規則（２００７年版）３・０１（ｆ）には、ロージンバッグに関して、「球審は、試合開始前に公認ロージンバッグが投手板の後方に置かれていることを確認しなければならない。」と定められている。この規則による「投手板の後方」というロージンバッグの置き場所の規定では、投手板より後ろでさえあれば投手板の横に置いても規則に反していないと解釈される。
【０００４】
ところが、ロージンバッグを投手板の横の打者から見える位置に置くと、アンダースローの投手のボールリリース点とロージンバッグの位置が近くなることがある。従来のロージンバッグは白色であるため、このような状況では打者がロージンバッグをボールと見誤るおそれがあり、打者に不利になる。このため、上記規則において「投手板の後方」とあるのを、「投手板の後方かつ投手板の幅の範囲内」など、より厳格な規定に改正することが検討されている。
【考案の開示】
【考案が解決しようとする課題】
【０００５】
本考案の目的は、現行の公認野球規則を改正しなくても、打者がロージンバッグをボールと見誤る状況を解消することにある。
【課題を解決するための手段】
【０００６】
本考案のロージンバッグは、袋内にロージンを入れたロージンバッグにおいて、前記袋が茶色、黒色および緑色から選択される色で着色されていることを特徴とする。
【考案の効果】
【０００７】
本考案によれば、ロージンバッグの袋が白ではなく茶色、黒色および緑色などグラウンドになじむ色から選択される色で着色されているので、打者がロージンバッグをボールと見誤る状況を解消できる。
【考案を実施するための最良の形態】
【０００８】
図１（ａ）および（ｂ）は、本考案に係るロージンバッグの外観を示す図である。図１（ａ）はロージンバッグの袋１の表面１ａ、図１（ｂ）はロージンバッグの袋１の裏面１ｂをそれぞれ示している。袋の中にはロージンが詰められている。
【０００９】
図１（ａ）に示すロージンバッグの袋１の表面１ａは、野球グラウンドの土の色に近い茶色もしくは黒色または芝生（人工芝を含む）の色に近い緑色で着色されている。図１（ｂ）に示すロージンバッグの袋１の裏面１ｂは、表面１ａと同じ色で着色してもよい。また、茶色、黒色および緑色から２色を選択し、表面１ａをそのうちの一方の色、裏面１ｂを他方の色で着色してもよい。なお、グラウンドになじむという特性が得られれば、茶色、黒色、緑色に限らず、これらと均等な色を用いることもできる。
【００１０】
本考案のロージンバッグは、ロージンバッグの袋が茶色、黒色および緑色などグラウンドになじむ色から選択される色で着色されている。このため、本考案のロージンバッグを投手板の横の打者から見える位置に置き、アンダースローの投手のボールリリース点とロージンバッグの位置が近くなったとしても、打者がロージンバッグをボールと見誤るおそれはない。
【図面の簡単な説明】
【００１１】
【図１】本考案に係るロージンバッグの外観を示す図。
【符号の説明】
【００１２】
１…袋、１ａ…表面、１ｂ…裏面。
【図１】
0003147782.tif 000003
(57)【要約】【課題】ストーマ用パウチの最適位置確認等をした状態を保持しつつ、ストーマ用パウチの接着部を皮膚に均一に貼付する動作を可能にする、多機能フィルムを提供する。【解決手段】ストーマ用パウチ多機能フィルムは、耳部を有する円形中抜き・透明な円板又は楕円板で、かつ耳部の上側付け根から中抜き円にかけて、斜め切目線（切目線に沿って折り曲げた後、耳部を持ち接着部から引き剥がすと切目線で破断する。）を有する構造とする。即ち、従来の接着部の保護のためのフィルムに、装着補助具としての機能を持たせるものである。【選択図】図２
0003147788.tif 000002
【実用新案登録請求の範囲】
【請求項１】
耳部を有する円形中抜き・透明な円板又は楕円板で、かつ耳部の上側付け根から中抜き円にかけて、斜め切目線（切目線に沿って折り曲げた後、耳部を持ち接着部から引き剥がすと切目線で破断する。）を有するストーマ用パウチ多機能フィルム。
【考案の詳細な説明】
【技術分野】
【０００１】本考案は、ストーマ用パウチをストーマの中心に合わせて装着する際に、貼る場所の位置決め及び皮膚に均一に貼る動作の補助となる、ストーマ用パウチの多機能フィルムに関する。
【背景技術】
【０００２】ストーマ用パウチを装着する場合、先ずストーマ用パウチ接着部の保護フィルムを剥さない状態で皮膚に押し当てて、ストーマの中心位置及び内径大きさの確認を行う。次に、一旦ストーマ用パウチを皮膚から放して、中抜き円形の保護フィルムを剥がし、再度ストーマ用パウチを先に確認した位置に貼る動作を行っている。この際、装着場所は本人の目で確認し難いことから、ストーマ用パウチを一回の動作で、ストーマ中心位置に均一に貼付するのは、かなりの熟練を要する。皮膚に均一に貼付しないと、接着部が剥がれて中味が漏れることがある。
【考案の開示】
【考案が解決しようとする課題】
【０００３】ストーマ用パウチの最適位置確認等をした状態を保持しつつ、ストーマ用パウチの接着部を皮膚に均一に貼付する動作を可能にする、多機能フィルムを提供する。
【課題を解決するための手段】
【０００４】ストーマ用パウチ多機能フィルムは、耳部を有する円形中抜き・透明な円板又は楕円板で、かつ耳部の上側付け根から中抜き円にかけて、斜め切目線（切目線に沿って折り曲げた後、耳部を持ち接着部から引き剥がすと切目線で破断する。）を有する構造とする。即ち、従来の接着部の保護のためのフィルムに、装着補助具としての機能を持たせるものである。
【考案の効果】
【０００５】ストーマ用パウチの位置確認等をしたその最適の位置に、ストーマ用パウチを容易に装着することができる。
【考案を実施するための最良の形態】
【０００６】ストーマ用パウチの接着部の多機能フィルムの内外縁及び破断面は、皮膚に優しい滑らかさを有する。
【実施例】
【０００７】ストーマ用パウチの接着部に多機能フィルムをつけたまま、多機能フィルムを斜め切目線に沿って折り曲げて切れ易くしてから、ストーマ用パウチの最適位置等を確認する。次いで、その位置がずれないように、片方の手でストーマ用パウチ接着部の上部分を押さえておいて、他方の手で多機能フィルムの耳を掴み身体側に折り返し、接着部の外周縁に沿う方向に約６０度分フィルムを剥がしながら、接着部を皮膚に良く密着させる。更に次の６０度分を剥がしながら、接着部を皮膚に良く密着させる。この動作を繰り返すことによって、接着部全体をストーマの周囲皮膚に均一に密着させる。
【図面の簡単な説明】
【０００８】
【図１】本考案のストーマ用パウチ多機能フィルムの関連図
【図２】本考案のストーマ用パウチ多機能フィルム図
【符号の説明】
【０００９】１・・・ストーマ
２・・・ストーマ用パウチ
３・・・接着部
４・・・多機能フィルム
５・・・斜め切目線
６・・・耳部
【図１】
0003147788.tif 000003
【図２】
0003147788.tif 000004
(57)【要約】      （修正有）【課題】コットンに使用する揮発性が高い液体が、外側からすぐに蒸発してしまうのを防ぐビニール付コットンを提供する。【解決手段】コットンの表面と裏面の中間に２重のビニールを設置することを特徴とする。２重のビニールの間に指を入れ使用することにより液体の無駄な使用量を軽減することができ、またコットンの両面を使っても手はよごれない。【選択図】図１
0003147790.tif 000002
【実用新案登録請求の範囲】
【請求項１】
浸透力の強い化粧落としが裏面まで達するのを防ぐため厚みの中間部分にビニールを張ったコットン。
【考案の詳細な説明】
【技術分野】
【０００１】  本考案は主に女性が化粧関係に使用するコットンに裏側まで液体が浸透するのを防ぎ手に付着しないよう２重のビニールを組み合わせた物である。
【背景技術】
【０００２】  従来は化粧を落とす時や化粧水を顔に付ける時にコットンのみを使用していた。
【考案の開示】
【考案が解決しようとする課題】
【０００３】  使用する液体の気化を防ぐ。【０００４】  従来の場合、コットンに液体を染み込ます際、すぐに裏側まで浸透してしまい液体の無駄が多い。【０００５】  手に液体が付着してしまう。
【課題を解決するための手段】
【０００６】  本考案はあらかじめコットンの表面と裏面の中間に２重のビニールを設置する。
【考案の効果】
【０００７】  使用する際２重のビニールの間に指を入れ使用する事により液体の無駄な使用量を軽減させる。【０００８】  又ビニールが２重になっているので両面を使っても手はよごれない。【０００９】  完全に表面と裏面が遮断されているので各々別の液体を使用しても混ざる事はない。
【実施例】
【００１０】    市販されているコットンを厚さが２分の１になるよう分断しその分断面に２重のビニールを敷き、元のようにコットンを着ける。
【図面の簡単な説明】
【００１１】
【図１】
0003147790.tif 000003
【手続補正書】
【提出日】平成20年9月16日(2008.9.16)
【手続補正２】
【補正対象書類名】明細書
【補正対象項目名】００１１
【補正方法】変更
【補正の内容】
【００１１】
【図１】  ａ  正面図  ｂ断面図
(57)【要約】      （修正有）【課題】下着のトランクスやブリーフによるいんきんたむしの解消のため、風通しを良くし発汗を防ぐ構成のパンツを提供する。【解決手段】２本の伸縮自在の綿生地３で輪を作り、従来の下着のパンツのウエストゴム部分４より下部分がない状態で、該綿生地３を該ウエストゴム部分の左右に縫いつける。該綿生地の輪の部分に左右の足を入れて着用する。【選択図】図１
0003147786.tif 000002
【実用新案登録請求の範囲】
【請求項１】
下着のパンツ全面の真ん中に穴を開け、股と睾丸がすれないように、又、後面の真ん中に穴を開け、風通しを良くする、いんきんたむし防止パンツである。
【考案の詳細な説明】
【技術の分野】
【０００１】  本考案は、下着のパンツに穴を開けた、いんきんたむし防止パンツである。
【背景技術】
【０００２】  従来の下着のトランクスは、股と睾丸が汗をかいたりしてくっついてしまい、又、トランクスも風通しが悪く、いんきんたむしの原因となります。
【考案が解決するための手段】
【０００３】  そこでパンツの前面の真ん中に穴を開け、股と睾丸の間に生地があたるようにしている。これは汗をかいても吸い取り、すれないようにしたものである。又、後面の真ん中に穴を開け、風通しを良くしている。
【考案を実施するための最良の形態】
【０００４】  本考案にかかるいんきんたむし防止パンツ１０の前面真ん中に穴１を開け、股と睾丸の間に生地があたるようにし、汗をかいても吸い取ることができ、後面真ん中に穴２を開け風通しを良くする。
【図面の簡単な説明】
【０００５】
【図１】  本考案にかかるいんきんたむし防止パンツ前面図である。
【図２】  本考案にかかるいんきんたむし防止パンツ後面図である。
【符号の説明】
【０００６】  １                パンツ前面真ん中の穴（睾丸を出す）
２                パンツ後面真ん中の穴
１０              いんきんたむし防止パンツ
【図１】
0003147786.tif 000003
【図２】
0003147786.tif 000004
【手続補正書】
【提出日】平成20年6月2日(2008.6.2)
【手続補正１】
【補正対象書類名】実用新案登録請求の範囲
【補正対象項目名】全文
【補正方法】変更
【補正の内容】
【実用新案登録請求の範囲】
【請求項１】
下着のパンツのウエストゴム下部分が無く、そのウエストゴム部分に伸縮自在の２本の綿生地を、足が入るように輪にして縫い付けて履く、いんきんたむし防止パンツ。
【手続補正２】
【補正対象書類名】明細書
【補正対象項目名】全文
【補正方法】変更
【補正の内容】
【考案の詳細な説明】
【技術の分野】
【０００１】  本考案は、下着のパンツの前面と後面の真ん中に穴の開いたいんきんたむし防止パンツである。
【背景技術】
【０００２】  従来のトランクスは、汗をかくと股と睾丸とがくっついてしまい、又、パンツも風通しが悪く、いんきんたむしの原因となります。
【考案が解決するための手段】
【０００３】  そこで下着のパンツのウエストゴム下部分が無く、そこのウエストゴム部分に伸縮自在の２本の綿生地を作り、左右の足が入るように縫い付ける。
履いたときに股と睾丸との間に伸縮自在の綿生地が入り、汗を防ぎ風通しもよくする。
【考案を実施するための最良の形態】
【０００４】  本考案にかかるいんきんたむし防止パンツ１０は、２本の伸縮自在の綿生地３で輪を作り、それをウエストのゴム部分に左右に縫い付ける。そうすることにより、前面の真ん中１と後面の真ん中２に穴が開き、風通しの良いパンツとなる。
【図面の簡単な説明】
【０００５】
【図１】  本考案にかかるいんきんたむし防止パンツの図である。
【符号の説明】
【０００６】  １      いんきんたむし防止パンツ前面真ん中の穴
２      いんきんたむし防止パンツ後面真ん中の穴
３      輪の伸縮自在の綿生地
４      ウエストゴム
１０    いんきんたむし防止パンツ
【手続補正３】
【補正対象書類名】図面
【補正対象項目名】全図
【補正方法】変更
【補正の内容】
【図１】
0003147786.tif 000005
(57)【要約】【課題】キチン作業台などいろんなグッズを使って作業をするとき、グッズを滑ったり、転がしたりするのを防ぐため、ゴム滑りとめを提供する。【解決手段】グッズの大きさや形に合わせて、シリコンゴム（ウレタンエラストマー）など吸着性のあるゴムを、いろんな形にして、キッチン作業台などの上、妥当な所に置くと、まな板やなべ蓋など面積の大きい物が立たせることができるし、菜箸や伸し棒などが転がさないよう固定することができます【選択図】図１
0003147787.tif 000002
【実用新案登録請求の範囲】
【請求項１】
シリコンゴム（ウレタンエラストマー）など吸着性のあるゴムを、いろんな形にして滑りとめとして使います。
【請求項２】
請求項１記載のゴムは主にキッチン作業台の上にまな板、なべ蓋、菜箸、伸し棒などの滑りとめとして使うゴムです。
【考案の詳細な説明】
【技術分野】
【０００１】本考案は、キッチン作業台などの上にいろんなグッズの滑りとめとして使うシリコンゴムに関するものである。
【背景技術】
【０００２】従来、滑らないために、まな板収納グッズやお箸置きなどの物がそれぞれありました。
しかし、こういう物自身が作業するとき邪魔になったり、収納に場所が取ります。
【考案の開示】
【考案が解決しようとする課題】
【０００３】普通のキッチン作業台などの所は狭いです、料理をするとき、いろんなグッズをその狭い台に並べなければなりません。するとまな板やなべ蓋など面積の大きい物が場所を取ります、菜箸や伸し棒などが転がします。本考案は以上の不便を解決しようとします。
【課題を解決するための手段】
【０００４】シリコンゴム（ウレタンエラストマー）など吸着性のあるゴムを、いろんな形にして、キッチン作業台などの妥当な所に置くと、まな板やなべ蓋など面積の大きい物を立たせることができるし、菜箸や伸し棒などが転がさないよう固定することができます。
【考案の効果】
【０００５】上述のように本考案のゴム滑りとめは作業台などに滑りとめとして役が立ちます。
使わないときはキッチン壁に吸着させれば収納が簡単です。さらにゴミ等の付着により粘着力が落ちても水洗いすれば粘着力が再生するので、半永久的に使用可能とのことです。
しかも１５０〜１７０度の熱や、  −７０〜８０度の寒さには性能が変わらずに耐えられます。無害、抗菌の特徴もあります。
【考案を実施するための最良の形態】
【０００６】サイズの違う棒状や薄っぺら状や凹凸のある形にします。
【実施例】
【０００７】図１のようにまな板が壁に立たせて、下に細長い棒状や薄っぺら状のゴムで滑りとめ。
【実施例】
【０００８】図２のように料理の最中、蓋を開けて材料を入れたり、味見をしたりするとき、臨時的に蓋をなべや壁に寄りかかって、下にゴムを置けば、滑らないです。
【実施例】
【０００９】図３のように両端がちょっと高めの棒状や薄っぺら状のゴムを妥当なところにおいて、菜箸や伸し棒の転がしを止める。
【実施例】
【００１０】図４のようにゴムが使わないときは壁に吸着させ、収納には便利です。
【産業上の利用可能性】
【００１１】材料が安く、環境にも良く、生産しやすいです。
【図面の簡単な説明】
【００１２】
【図１】まな板がシンクの壁に寄りかかって、下に本考案のゴムで滑りを防ぐ。
【図２】なべに寄りかかっている蓋、下に本考案のゴムで滑りを防ぐ。
【図３】お箸や菜箸や伸し棒を本考案のゴム（両端が高め状）で転がしを防ぐ
【図４】使わないとき、ゴムがシンクのステンレス壁に吸着させ、収納完了。
【符号の説明】
【００１３】＠  本考案のゴム
１  まな板
２  シンクの壁
３  シンク
４  なべ蓋
５  なべ
６  調理台
７  お箸
８  伸し棒
【図１】
0003147787.tif 000003
【図２】
0003147787.tif 000004
【図３】
0003147787.tif 000005
【図４】
0003147787.tif 000006
【手続補正書】
【提出日】平成20年8月9日(2008.8.9)
【手続補正１】
【補正対象書類名】実用新案登録請求の範囲
【補正対象項目名】全文
【補正方法】変更
【補正の内容】
【実用新案登録請求の範囲】
【請求項１】
シリコンゴムなど吸着性のあるゴムを、下に細長い棒状、両端が高めの棒状、又はいろんな形にした薄板状に形成したことを特徴とする滑りとめ用ゴム。
【手続補正書】
【提出日】平成20年10月16日(2008.10.16)
【手続補正１】
【補正対象書類名】実用新案登録請求の範囲
【補正対象項目名】全文
【補正方法】変更
【補正の内容】
【実用新案登録請求の範囲】
【請求項１】
シリコンゴムなど吸着性のあるゴムを、下に細長い棒状、両端が高めの棒状、又は薄板状に形成したことを特徴とする滑りとめ用ゴム。
(57)【要約】      （修正有）【課題】プリント、ペイント又は彫刻が施されたデザインが磨耗しなく、長時間に亘り使用しても外観を完全に維持することができるブラシの柄を提供する。【解決手段】グリップ部１１と該グリップ部１１の表面に刻設され、様々なデザインを形成できる複数の浮き彫り部１２とを備える本体１０と、本体１０のグリップ部１１を被覆する透明の被覆体とを有することを特徴とする。【選択図】図１
0003147745.tif 000002
【実用新案登録請求の範囲】
【請求項１】
グリップ部と該グリップ部の表面に刻設され、様々なデザインを形成できる複数の浮き彫り部とを備える本体と、
前記本体のグリップ部を被覆する透明の被覆体とを有することを特徴とするブラシの柄。
【請求項２】
前記被覆体が本体のグリップ部のほぼ全体を被覆することを特徴とする請求項１に記載のブラシの柄。
【請求項３】
前記被覆体が本体のグリップ部の一部を被覆することを特徴とする請求項１に記載のブラシの柄。
【考案の詳細な説明】
【技術分野】
【０００１】
本考案は、特に浮き彫り部が磨耗しないブラシの柄に関するものである。
【背景技術】
【０００２】
一般に従来のブラシなどの掃除具には、使用時の利便性（握持性など）を向上させるために柄が設けられている。また、その柄には、ブラシのデザイン性を高めるために、その表面に所定のデザインがプリント又はペイントされるのが一般である。
【考案の開示】
【考案が解決しようとする課題】
【０００３】
しかしながら、前記ブラシの柄の表面に施されたデザインのプリント又はペイントは、長時間の使用により、徐々に磨耗して剥がれてくるので、外観がぼろぼろになり醜くなってしまうといった問題があった。故に、従来のブラシの柄には更に改善する余地があった。
【０００４】
そこで、案出されたのが本考案であって、柄における様々なデザインのプリント、ペイント又は彫刻（浮き彫りなど）が磨耗しなく、長時間に亘り使用しても外観を完全に維持することができるブラシの柄を提供することを目的としている。
【課題を解決するための手段】
【０００５】
本願の請求項１の考案は、グリップ部と該グリップ部の表面に刻設され、様々なデザインを形成できる複数の浮き彫り部とを備える本体と、
前記本体のグリップ部を被覆する透明の被覆体とを有することを特徴とするブラシの柄、を提供する。
【０００６】
本願の請求項２の考案は、前記被覆体が本体のグリップ部のほぼ全体を被覆することを特徴とする請求項１に記載のブラシの柄、を提供する。
【０００７】
本願の請求項３の考案は、前記被覆体が本体のグリップ部の一部を被覆することを特徴とする請求項１に記載のブラシの柄、を提供する。
【考案の効果】
【０００８】
本考案は上記の構造を有するものであり、ブラシの柄に様々なデザインを浮き彫りにすることができることから、本考案に係るブラシの柄は、長時間の使用による、表面に施されたデザインのプリント又はペイントの磨耗で外観がぼろぼろになる問題を解決できると共に、この構造によれば、本体のグリップ部と、該グリップ部の浮き彫りとの異なる厚さにより、看者に立体感を提供することができる。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１は本考案に係るブラシの柄の斜視図であり、図２は本考案に係るブラシの柄において被覆体を取り外した状態を示す斜視図であり、図３は本考案に係るブラシの柄部分平面図であり、図４は図３の４−４線断面図であり、図５は図３の５−５線断面図であり、図６は図３の６−６線断面図であり、図７は本考案に係るブラシの柄の他の実施例の側面断面図である。
【００１１】
図１乃至図６に示すように、本考案に係るブラシの柄は、グリップ部（１１）と該グリップ部（１１）の表面に刻設され、様々なデザインを形成できる複数の浮き彫り部（１２）とを備える本体（１０）と、該本体（１０）のグリップ部（１１）を被覆する透明の被覆体（２０）とを有するものであり、本実施例においては、該浮き彫り部（１２）が竹模様をなすと共に、該被覆体（２０）が本体（１０）のグリップ部（１１）のほぼ全体を被覆し、グリップ部（１１）の一端のみを露出する構造となっている。
【００１２】
図７に示すように、本考案における他の実施例においては、被覆体（２０）が本体（１０）のグリップ部（１１）の一部を被覆するものであるので、被覆された浮き彫り部（１２）と被覆されていない他の浮き彫り部（１２）との組合せにより、独特の視覚効果を提供することができる。
【００１３】
更に、前記被覆体（２０）は透明であると共に、前記本体（１０）のグリップ部（１１）と、該グリップ部（１１）の浮き彫り部（１２）とは異なる厚さを有するので、看者に立体感を提供することができる。
【００１４】
また、本考案に係るブラシの柄に施されるデザインは、被覆体（２０）と、本体（１０）のグリップ部（１１）における浮き彫り（１２）とからなるものであるので、長時間使用しても容易に磨耗するものではない。故に、本考案に係るブラシの柄の構造によれば、従来の、長時間の使用による、表面に施されたデザインのプリント又はペイントの磨耗で外観がぼろぼろになる問題を解決することができる。
【産業上の利用可能性】
【００１５】
本考案は上記の構造を有するものであり、ブラシの柄に様々なデザインを浮き彫りにすることができることから、本考案に係るブラシの柄は、長時間の使用による、表面に施されたデザインのプリント又はペイントの磨耗で外観がぼろぼろになる問題を解決できると共に、この構造によれば、本体のグリップ部と、該グリップ部の浮き彫りとの異なる厚さにより、看者に立体感を提供することができる。
【図面の簡単な説明】
【００１６】
【図１】図１は本考案に係るブラシの柄の斜視図である。
【図２】図２は本考案に係るブラシの柄において被覆体を取り外した状態を示す斜視図である。
【図３】図３は本考案に係るブラシの柄部分平面図である。
【図４】図４は図３の４−４線断面図である。
【図５】図５は図３の５−５線断面図である。
【図６】図６は図３の６−６線断面図である。
【図７】図７は本考案に係るブラシの柄の他の実施例の側面断面図である。
【符号の説明】
【００１７】
１０   本体
１１   グリップ部
１２   浮き彫り部
２０   被覆体
【図１】
0003147745.tif 000003
【図２】
0003147745.tif 000004
【図３】
0003147745.tif 000005
【図４】
0003147745.tif 000006
【図５】
0003147745.tif 000007
【図６】
0003147745.tif 000008
【図７】
0003147745.tif 000009
(57)【要約】      （修正有）【課題】自らの寝返りを打つことを利用して、伝えられる温度を調節できるような電気毛布を提供する。【解決手段】電気毛布１は、矩形状の基布４と、その内部に配される発熱体５とより成っている。前記基布４の横寸法Ｗはベッド２のマット３の横寸法Ａの１／２から１／３とする。これにより、電気毛布１をベッド２の一方側に敷くことで、他方側には電気毛布１が敷かれていない所ができる。他方側を空けることにより、就寝時に自らの身体の動きである寝返り打ちを利用することが、伝熱する暖かさを任意に調節できることになって、暖まった後に暑く感じる不都合を解消し、熟睡に寄与できる。【選択図】図１
0003147747.tif 000002
【実用新案登録請求の範囲】
【請求項１】
外側を被う基布（４）と、該基布（４）内に配された発熱体（５）で構成された電気毛布において、前記基布（４）の横寸法をベッドふとん等の寝具（３）の横寸法の１／２から１／３ぐらいとすることを特徴とする電気毛布。
【請求項２】
前記基布（４）内に配された発熱体（５）として、面状発熱体であることを特徴とする請求１記載の電気毛布。
【請求項３】
前記基布（４）内に配された発熱体（５）として、電熱線としたことを特徴とする請求項１記載の電気毛布。  
【請求項４】
前記基布（４）に遠赤外線発生部材を付したことを特徴とする請求１記載の電気毛布。
【請求項５】
ベット、ふとん等の寝具（３）の片方に位置することを特徴とする請求項１乃至４の一つに記載の電気毛布。
【考案の詳細な説明】
【技術分野】
【０００１】
この考案は、就寝時に暖房具として利用する電気毛布に関する。
【背景技術】
【０００２】
従来の電気毛布は、布等で形成の基布と、その内部に配され、電気エネルギーで発熱する発熱体より成るもので、敷毛布又は掛毛布なるものが発売されていた。また、特許文献１，２に示す考案が開示されている。この特許文献１に示す考案は、基布の各部分毎に温度調節をすることにより、局所の重点的な保温を可能にしたもので、毛布を長手方向に複数部位に分け、それぞれの部位ごとに温度コントロールが出来るものであった。
【０００３】
特許文献２に示す発明は、温度が低下しても肩口の冷え込みを防ぎ常に快適に就寝できる掛敷兼用電気毛布を提供するもので、基布１と、同基布１内に胸元側の間隔が疎に、足元側の間隔が密となるように配設されたヒータ線とで構成され、前記基布の胸元側上端中央には切欠き部が設けられ、同切欠き部には、該切欠き部を塞ぐ基布が着脱自在に取付け、掛毛布として使用し、且つ室内が寒い場合には切欠き部を塞ぐ基布を取り外し、毛布本体の胸元側に引き上げて切欠き部を首部に位置させ、これによって肩口を覆い、同肩口の冷え込みを防止していた。
【特許文献１】実開平５−５９１１６
【特許文献２】特開平８−３３２１３７
【考案の開示】
【考案が解決しようとする課題】
【０００４】
前記特許文献１，２に示す電気毛布は、その横寸法並びに縦寸法はベッドやふとんの横寸法と並びに縦寸法と同等か多少短めに作られているものであり、暖まり就寝するには良いが、暖まった後に暑く感じて、寝ながら足にてけ落とすことがあり、寝にくさから起きてしまい、電気毛布の使用に不都合を感じていた。この対策として、タイマーや温度コントロール装置を付して、部分別に温度設定を異にしたりしている例もあるが、その温度コントロール装置を設定をしなければならず、老人や子供には不向きであった。
【０００５】
そこで、この考案は、自ら寝返りを打つことを利用して、伝えられる温度を自然に調節できるような電気毛布を提供することにある。
【課題を解決するための手段】
【０００６】
上記課題を達成するために、この考案に係る電気毛布１は、外側を被う基布４と、該基布４内に配された発熱体５で構成された電気毛布において、前記基布４の横寸法をベッドのマット、ふとん等の寝具３の横寸法の１／２から１／３ぐらいとすることを特徴としている。（請求項１）。
【０００７】
これにより、この考案の電気毛布１をベッドのマット、ふとん３の上に右又は左側の一方に片寄って敷いて置く。就寝時に電源を入れておき、敷かれている電気毛布１側に身体を寄せて、暖まる。自然に寝返りを打って位置を変えれば、電気毛布のない暖まっていないベッド、ふとん３の他方に寝ることができ、自然に温度調節が行われ、また寒くなれば再び戻って暖まり、熟睡を継続出来ることになる。
【０００８】
基布４内に配された発熱体５として、面状の発熱体だったり、電熱線が用いられる（請求項２，３）。
【０００９】
また、基布４に遠赤外線発生部材を付して、遠赤外線を発生させることもできる（請求項４）。
【００１０】
さらに、ベット、ふとん等の寝具３の片方に設置するに適した電気毛布であり（請求項５）、寝具３の反片方が空けられ、自らの身体の動きから熱の伝達が制御されて、温度の調節ができる。
【考案の効果】
【００１１】
この考案によれば、基布４の横寸法がベッド、ふとんの横寸法の１／２から１／３ほどの短さの電気毛布１であるから、ベッド、ふとんの一方側に敷くことで、他方側を空けることになり、就寝時に自らの身体の動きである寝返り打ちを利用することが、伝熱する暖かさを任意に調節できることになって、従来のような不都合を解消し、熟睡に寄与できるようになる。
【考案を実施するための最良の形態】
【００１２】
図１において、この考案の電気毛布１が、ベッド２のマット３の上面であって、左側に片寄って縦方向に敷かれている。この電気毛布１は基布４とその基布内に配されている発熱体５より作られている。基布４は、外側を被う耐熱性の素材等で作られ、また発熱体５は、基布１内部に近年開発が進んでいる面状発熱体で、これに変えて電熱線を用いることもできる。また基布４には、遠赤外線発生部材を付与することもでき、その場合には遠赤外線が得られ、保温効果を高める。
【００１３】
さらに、通電並びに遮断の切換などの温度コントロール装置６を有しており、タイマーを内蔵している。７はプラグである。
【００１４】
前記電気毛布１の基布の横寸法（Ｗ）は、前記マット３の横寸法（Ａ）の９０〜１５０ｃｍの１／３程となっている。なお、ベッド２の横寸法（Ａ）は人体の横寸法に近く３０〜５０ｃｍ程が好ましい。縦方向の縦寸法（Ｌ）は１５０ｃｍぐらいが好ましいが、特に限定することもない。
【００１５】
具体的な使用例として、電気毛布１をベッド２のマット３上の一方側に片寄って敷く。そして、電源を入れて、発熱させる。就寝時には、人は電気毛布１側に寄って、体を暖める。そして、暑すぎると感じると、自然に寝返りを打って電気毛布１より遠ざかる。すると、マット３の他方側には電気毛布１はないため、熱が伝わっていない所に寝ることになり、自然に温度調節ができるようになる。それから、また寒くなれば再び電気毛布１側に戻って暖まることができることから、熟睡を継続できる。
【図面の簡単な説明】
【００１６】
【図１】はこの考案の電気毛布をベッドに敷いた状態の斜視図である。
【符号の説明】
【００１７】
１  電気毛布
２  ベッド
３  マット
４  基布
５  発熱体
６  温度コントロール装置
７  プラグ
８  枕
【図１】
0003147747.tif 000003
(57)【要約】      （修正有）【課題】歯ブラシの収納具に出し入れする不便性を解消した保管具を提供する。【解決手段】歯ブラシ６の取手部先端の穴５に開閉式結合具４を介して伸縮自在な帯状且つバネ状のストラップ３を設け、更に前述のストラップの反対側先端部に結合具２を介した吸着盤１を設けたことで、吸着盤１を洗面台の鏡面などの平らな場所に貼り、歯ブラシを宙ぶらりんに保管することができ、また、歯磨きの際には、前述のストラップ３が伸びることで、開閉式結合具４に装着したまま歯磨きができるという利便性がある。【選択図】図１
0003147739.tif 000002
【実用新案登録請求の範囲】
【請求項１】
歯ブラシの取手部先端の穴に装着可能な開閉式結合具を伸縮自在な帯状且つバネ状のストラップを設け、更に前述のストラップの反対側先端部に結合具を介した吸着盤を設けたことを特徴とする歯ブラシ保管具。
（１）
【考案の詳細な説明】
【技術分野】
【０００１】
本考案は、歯ブラシの保管具に関するものである。
【背景技術】
【０００２】
従来の歯ブラシの保管は、保管ボックスが一般的であり、保管ボックスにおける歯ブラシ用の穴が小さくて、出し入れしづらい等の不便性があった。
【考案の開示】
【考案が解決しようとする課題】
【０００３】
従来の歯ブラシの保管具は、歯ブラシの出し入れをしなければならなかった。バネ状ストラップの両端にそれぞれ吸着盤と歯ブラシを装着できる開閉結合具を設けることで、前述の問題点を解決しようとするものである。
【課題を解決するための手段】
【０００４】
本考案は、歯ブラシ（６）の取手部先端の穴（５）に装着可能な開閉式結合具（４）を伸縮自在な帯状且つバネ状のストラップ（３）を設け、更に前述のストラップの反対側先端部に結合具（２）を介した吸着盤（１）を設けたことで問題点を解決している。
【考案の効果】
【０００５】
上述のように、歯ブラシの取手部先端の穴に装着可能な開閉式結合具を伸縮自在な帯状且つバネ状のストラップを設け、更に前述のストラップの反対側先端部に結合具を介した吸着盤を設けた本歯ブラシ保管具において、開閉式結合具に歯ブラシを装着し、前述の吸着盤を洗面台における鏡面や平面に貼り付けることにより、洗面台と歯ブラシが保持され、また、歯磨き時にも伸縮自在な帯状且つバネ状のストラップが伸びることにより、同様に保持される。歯ブラシの保管時はこのストラップ縮むことで宙ぶらりんの状態で保管される。なお、本考案の歯ブラシの保管具は、穴の開いたものであれば、すべてのアイテムにおいて利用が可能である。
（２）
【考案を実施するための最良の形態】
【０００６】
伸縮自在な帯状且つバネ状のストラップ（３）の長さ及び強度は、歯磨きの際に吸着盤（１）が剥がれず且つ違和感が少ない方が、また帯状且つバネ状のストラップ（３）は合成樹脂性の方が複数の本考案伸びる歯ブラシを使用する際に互いにからみあわなくて望ましい。
【実施例】
【０００７】
以下、添付図面に従って一実施例を説明する。１は合成樹脂材よりなる吸着盤であり、この吸着盤を洗面台の鏡面に自分の肩の高さぐらいに貼る。２の金属や合成樹脂からなる結合具を介した３のストラップが吸着盤から垂れ下がり、その先端に結合した４の開閉式結合具に歯ブラシを装着する。
【図面の簡単な説明】
【０００８】
【図１】本伸びる歯ブラシの斜視図である。
【符号の説明】
【０００９】
１  吸着盤
２  結合具
３  伸縮自在な帯状且つバネ状のストラップ
４  開閉式結合具
５  歯ブラシの取手部先端の穴
６  歯ブラシ
【図１】
0003147739.tif 000003
(57)【要約】【課題】箸の装飾性を向上させる。【解決手段】箸本体１０の頭部に固定した台座１１に飾り石１２をはめ込む。また台座１１の周面に止め環１３を一体に形成し、この止め環１３に装飾体２０を着脱可能に取り付ける。装飾体２０は鎖部２１と、鎖部２１の後端に連結されて止め環１３に係合する開環および閉環自在の掛け環２３を有する。鎖部２１の先端には飾り石２２が連結されている。飾り石１２、２２により装飾性が高められる。また、装飾体２０は、箸本体１０から取り外し可能であるため、複数の装飾体２０を準備して状況や気分に応じて取り替えることができる。【選択図】図２
0003147735.tif 000002
【実用新案登録請求の範囲】
【請求項１】
頭部側から食品をつまむ先端側に向けて細くなる左右一対の箸本体１０と、
前記箸本体１０の頭部側に着脱可能な装飾体２０と、からなる箸。
【請求項２】
前記箸本体１０は、その頭部側に止め環１３を有し、
前記装飾体２０は、前記箸本体１０の止め環１３に係合可能な掛け環２３を有する請求項1に記載の箸。
【請求項３】
前記箸本体１０の止め環１３および装飾体２０の掛け環２３のいずれか一方を開環および閉環自在に形成した請求項2に記載の箸。
【請求項４】
前記箸本体１０は、その頭部に固定された台座１１と、この台座にはめ込まれた装飾材１２と、を有し、前記止め環１３はこの台座１１の周面から一体に延出する請求項2または3に記載の箸。
【請求項５】
前記装飾体２０は、鎖部２１と、鎖部２１の先端に連結された飾り石２２と、を有する請求項1から４のいずれかに記載の箸。
【考案の詳細な説明】
【技術分野】
【０００１】
この考案は、喫食の用に供される箸に関する。
【背景技術】
【０００２】
和食などを喫食する際に用いられる箸は、手で扱いやすいように、軽量であり、滑りにくい材質であることが好ましいため、木材により製造されることが多い。
しかし、いわゆる割り箸のような使い捨てタイプの箸は、自然環境の保全が叫ばれる昨今の情勢に反するものとして、使用が控えられつつある。
【０００３】
具体的には、定食屋やレストランなどでの外食時にも、割り箸等を使用することなく、自前の箸を持参し、この箸を繰り返し用いる習慣が根付きつつある。
【０００４】
しかし、従来の箸は、装飾性に乏しく、需要者への訴求力の点、特に若い女性をはじめとするデザインに敏感な若年層への訴求力の点で難があった。
【考案の開示】
【考案が解決しようとする課題】
【０００５】
そこで、この考案の解決すべき課題は、箸の装飾性を向上させることである。
【課題を解決するための手段】
【０００６】
上記課題を解決するため、考案にかかる箸を、頭部側から食品をつまむ先端側に向けて細くなる左右一対の箸本体と、前記箸本体の頭部側に着脱可能な装飾体と、から構成したのである。
【０００７】
装飾体を、目立ちやすい箸本体の頭部に取り付けたため、装飾性が高められる。
装飾体を箸本体から取り外し可能としたので、複数の装飾体を準備して状況や気分に応じて装飾体を取り替えることができる。
【０００８】
装飾体を箸本体に着脱可能とする構成としては、箸本体の頭部側に止め環を形成し、装飾体に掛け環を形成し、止め環に掛け環を係脱させるのが簡易であるため好ましい。
箸本体の止め環および装飾体の掛け環のいずれか一方を開環閉環自在に形成すると、これら環の開閉により係脱が一層容易となる。
【０００９】
箸本体の頭部に台座を固定し、この台座に飾り石などの装飾材をはめ込み、前記止め環はこの台座の周面から一体に延出する構成を採用すると、装飾材により箸本体自体の装飾性が高まるとともに、止め環も台座と一体に形成することで、製造が容易となる。
【００１０】
装飾体が、鎖部と、鎖部の先端に連結された飾り石と、を有すると、箸を使用中には飾り石の自重で鎖部が箸本体の頭部から先端側へと垂れ下がり、その垂れ下がり方向の下端に飾り石がぶら下がった状態となるため、見た目に面白く、より美観が高められる。
【考案の効果】
【００１１】
考案にかかる箸を以上のように構成したので、箸の装飾性が向上する。
【考案を実施するための最良の形態】
【００１２】
以下、図面を参照しつつ、考案の実施形態について説明する。
【００１３】
図１および図２に示すように、実施形態の箸１は、頭部側から先端側に向けて細くなる左右一対の箸本体１０と、箸本体１０に取り付けられた装飾体２０と、を備える。
そして、従来の箸と同様に、箸本体１０の頭部側を指で保持し、先端側で食品をつまむことで喫食の用に供される。
【００１４】
この箸本体１０は、たとえば木材からなり、その頭部には金属製の台座１１が固定されている。
この台座１１には、スクウェアカットされた有色透明の飾り石１２がはめ込まれて固定されている。
また、台座１１の周面には金属製の止め環１３が一体に形成されている。
【００１５】
一方装飾体２０は、金属製の鎖部２１と、鎖部先端に連結された飾り石２２と、鎖部後端に連結された掛け環２３と、からなる。
掛け環２３は半環同士がヒンジ結合することで形成されており、一方の半環を他方の半環に対して回動させることで、閉環および開環自在となっている。
【００１６】
この掛け環２３を開環して台座１１に一体形成された止め環１３に通し、次いで掛け環２３を閉環することで、装飾体２０は箸本体１０に着脱自在に取り付けられている。
【００１７】
また鎖部２１は三叉に分岐し、それぞれの先端には、２つの飾り石２２と、植物の葉を模した金属製の葉片２４とが連結されている。
この例では、飾り石２２は、それぞれティアドロップ型にカットされた有色透明または無色透明のものが用いられている。
【００１８】
実施形態の箸１は以上の構成からなり、この箸１を使用の際には、箸本体１０の一番目立つ位置である頭部に飾り石１２がはめ込まれており、さらに頭部から装飾体２０の鎖部２１が垂れ下がり、鎖部２１の先端には飾り石２２および葉片２４がぶら下がっているため、装飾性が非常に高まっている。
【００１９】
また、この装飾体２０は、その掛け環２３を開環および閉環することで箸本体１０に対して簡単に着脱可能であるため、状況や気分に応じて別の構造の装飾体２０に付け替えることもでき、邪魔なときは装飾体２０を取り外しておくことも可能である。
図３では、真珠を模した球形の飾り石２２を有する装飾体２０の例を示す。
【００２０】
この実施形態では、台座１１にはめ込む装飾材として飾り石１２を例示したが、装飾材はこれに限定されない。
また、装飾体２０の鎖部２１は、掛け環２３から抜けないように掛け環２３に留め具で留めるなどしてもよい。
【図面の簡単な説明】
【００２１】
【図１】実施形態の箸の全体斜視図
【図２】実施形態の箸の要部拡大斜視図
【図３】装飾体の他の例を示す斜視図
【符号の説明】
【００２２】
１  実施形態の箸
１０  箸本体
１１  台座
１２  飾り石
１３  止め環
２０  装飾体
２１  鎖部
２２  飾り石
２３  掛け環
２４  葉片
【図１】
0003147735.tif 000003
【図２】
0003147735.tif 000004
【図３】
0003147735.tif 000005
(57)【要約】      （修正有）【課題】排血口部にナプキンを当てた場合、人体とナプキンとの間の隙間から体液が漏れない構造を有した生理用ナプキンを提供する。【解決手段】体液を吸収する主吸収部１の形状を、横方向に長く形成して排血口部にナプキンを当てた場合、横からの圧力に対して抵抗力を持たせ撓みにくくさせ、かつ、主吸収部１の前後に補助吸収部８を設ける。【選択図】図１
0003147705.tif 000002
【実用新案登録請求の範囲】
【請求項１】
生理用ナプキンにおいて、主吸収部１の形状を、縦方向の長さを横方向の長さより短くたことを特徴とする漏れ防止効果の高い生理用ナプキン。
【請求項２】
主吸収部１の前後に補助吸収部８を形成することを特徴とする、請求項１記載の漏れ防止効果の高い生理用ナプキン。
【請求項３】
吸収部の吸収体に使用される綿状パルプの量を減らし、吸収体内部の空気量を増やしたことを特徴とする、請求項１から２いずれか１項に記載の漏れ防止効果の高い生理用ナプキン。
【考案の詳細な説明】
【技術分野】
【０００１】
本考案は生理用ナプキンの構造に関する。
【背景技術】
【０００２】
従来より、生理用ナプキンの漏れ防止構造として、吸収体の体積を大きくしたものや、吸収体の吸収率を高めたもの、ナプキンの位置ズレ防止のための固定用ウイングを形成したものや横漏れ防止の立体ギャザー等がある。また、特許第３８１６２９４号においては、排血等の体液を吸収する吸収体等の位置を変えることで、主に前部の漏れを防止する構造等が記載されている。
【特許文献１】特許第３８１６２９４号
【考案の開示】
【考案が解決しようとする課題】
【０００３】
従来の生理用ナプキンは、図４に示すように排血等の体液を吸収する吸収体の形状が、ナプキンの長手方向に長く形成されている構造が多く採用されている。排血口部にナプキンを当てた場合、人体の構造上ナプキンの横方向である左右から圧力を受け、長手方向に沿って撓みが発生し易く、人体とナプキンとの間に隙間が空き、結果として体液が外へ漏れてしまう。この吸収体を撓みにくくし、体液の漏れない構造を提供することを課題とする。
【課題を解決するための手段】
【０００４】
本考案は前述の課題を解決するために考案されたもので、体液を吸収する主吸収部１の形状を、従来のように長手方向に長く形成するのではなく、横方向に長く形成して排血口部にナプキンを当てた場合、横からの圧力に対して抵抗力を持たせ撓みにくくさせたことを特徴とする。
また、主吸収部１の前後に補助吸収部８を設けたことを第２の特徴とする。
【考案の効果】
【０００５】
排血口部にナプキンを当てたときに、横方向からの圧力に対して抵抗力があり、吸収体が撓みにくくなり、人体とナプキンとの隙間が軽減され、漏れ防止効果を高めることができる。
【０００６】
主吸収部１の前後に設けた補助吸収部８により、排血口以外から排出される体液の吸収と、主吸収部１が吸収しきれない体液等の吸収も可能となり、前後方向の漏れ防止効果も高めることができる。
【考案を実施するための最良の形態】
【０００７】
本考案の構成について、実施例をもとに図面を引用して説明する。
【実施例１】
【０００８】
図１は本考案の正面図、図２は本考案のＣ−Ｄ断面図、図３は本考案のＡ−Ｂ断面図である。
主吸収部１の形状を、本体長手方向に当たる長さを（縦方向とする）、本体横方向に当たる長さ（横方向とする）より短くし、横方向の長さを本体巾と同等の長さに形成する。縦方向の長さは、５ｃｍ前後が望ましい。本体の縦方向の長さは１６ｃｍ〜１８ｃｍ、横方向の長さは６ｃｍ〜８ｃｍが望ましい。
【０００９】
主吸収部１の形成位置は、本体中央部よりやや前側に置き、その前後に補助吸収部８を形成する。補助吸収部８の位置は、主吸収部１との間隔を１５ｍｍ程度として形成する。
【００１０】
補助吸収部８の長さは縦方向を１５ｍｍ前後とし、横方向は主吸収部１と同等とする。
【００１１】
下地層としての不透液性シートに不織布を重ね、吸収体を主吸収部１として１箇所、補助吸収部８として２箇所を前述の位置に形成し、透液性シートで上面を覆い、端部とその近辺及び吸収体の周りを接合することで完成する。
【００１２】
吸収部の吸収体には、繊維状の綿状パルプ等が使用される。この繊維状の綿状パルプは外圧により空気が抜け平坦となるが、外圧が取り除かれると繊維状の綿状パルプは元の形状の復元し、ふんわりと盛り上がる性質を持つ。この特徴を利用し、綿状パルプの量を減らすことで、吸収体内部の空気量が増え、体液等の液体の吸収がし易くなる。現在市販されている生理用ナプキンに使用されている吸収体の量を１００とした場合、３０％前後減らした量が望ましい。
【産業上の利用可能性】
【００１３】
この生理用ナプキンは工業生産が可能であり、あらたな生理用品として、供給者において生産、販売が可能である。
【図面の簡単な説明】
【００１４】
【図１】本考案の正面図
【図２】本考案のＣ−Ｄ断面図
【図３】本考案のＡ−Ｂ断面図
【図４】従来品の正面図
【図５】従来品のＡ−Ｂ断面図
【符号の説明】
【００１５】
１  本体                  ６  不織布
２  主吸収部              ７  不透液性シート
３  ウイング              ８  補助吸収部
４  透液性シート
５  吸収体
【図１】
0003147705.tif 000003
【図２】
0003147705.tif 000004
【図３】
0003147705.tif 000005
【図４】
0003147705.tif 000006
【図５】
0003147705.tif 000007